(57)【要約】      （修正有）【課題】石鹸液を自動的に充填し、ガスの残留を防止し、液位状態に基づき、発光により石鹸液の補給を促し、石鹸液を満注したことを示すことができる石鹸液自動補給システムを提供する。【解決手段】複数の石鹸液供給本体３０にそれぞれ接続された複数の石鹸液供給部材４０と、末端に排気弁が設けられた石鹸液補給管５１を介して各石鹸液供給部材に接続された石鹸液充填タンク５０と、石鹸液充填タンクを固定するために用いられ、石鹸液補給関連発光領域を備える洗面台装着部材６０と、石鹸液補給関連発光領域を形成するための制御ユニット７０とを含む。石鹸液充填タンクと石鹸液供給部材との間に液位差圧が生成され、この液位差圧により石鹸液が石鹸液充填タンクから石鹸液供給部材に自動的に充填され、石鹸液補給関連発光領域にて石鹸液を補給する必要があるか否かを確認し、排気弁により石鹸液を補給する間に残留したガスを排出できる。【選択図】図１
2019042479.tif 000002
【特許請求の範囲】
【請求項１】
石鹸液自動補給システムであって、
洗面台上にそれぞれ取り付けられた複数の石鹸液供給本体であって、それぞれ石鹸液を吐出するための石鹸液吐出口、及び人体の部位を検知したら石鹸液供給信号を発信する検知領域を備える複数の石鹸液供給本体と、
洗面台の下方にそれぞれ取り付けられ、且つ各前記石鹸液供給本体に接続され、それぞれ石鹸液を貯蔵するための石鹸液貯蔵タンクと、前記石鹸液貯蔵タンク上に取り付けられ、石鹸液を石鹸液吐出管を介して前記石鹸液吐出口に運ぶ石鹸液供給機と、前記検知領域に接続され、石鹸液供給信号を受信して石鹸液を前記石鹸液貯蔵タンクから前記石鹸液吐出口に供給するように前記石鹸液供給機を制御する制御ボックスとを含む複数の石鹸液供給部材と、
石鹸液充填タンクであって、洗面台の下方に取り付けられ、石鹸液を貯蔵し且つ末端にガスを排出させるための排気弁が設けられた石鹸液補給管を介して各前記石鹸液貯蔵タンクに接続され、前記石鹸液を充填するための石鹸液充填口及び石鹸液の液位状態を検出し、石鹸液補給信号を発信する液位検出ユニットを含み、なお、前記液位検出ユニットは各前記石鹸液貯蔵タンクのいずれよりも高いため、前記石鹸液充填タンク内の石鹸液と各前記石鹸液貯蔵タンク内の石鹸液との間に液位差圧が生成され、この液位差圧により石鹸液が前記石鹸液充填タンクから各前記石鹸液貯蔵タンクに自動的に充填される石鹸液充填タンクと、
洗面台上に取り付けられた洗面台固定部品と、前記洗面台固定部品に設けられ、前記石鹸液充填口に接続することで石鹸液を前記洗面台の上から前記石鹸液充填タンクに充填する石鹸液充填管と、前記洗面台固定部品内に設けられ、発光して前記洗面台固定部品に石鹸液補給関連発光領域を形成する発光部材を含む洗面台装着部材と、
前記液位検出ユニット及び前記発光部材にそれぞれ電気的に接続され、前記液位状態に基づき発信された石鹸液補給信号を受信して、前記石鹸液補給信号に基づき前記発光部材を駆動して発光することで、前記洗面台固定部品に石鹸液補給関連発光領域を形成する制御ユニットとを含むことを特徴とする石鹸液自動補給システム。
【請求項２】
前記洗面台装着部材は蓋体を含み、前記蓋体は前記洗面台の上から前記石鹸液充填管を覆うために用いられ、且つ前記石鹸液充填管から取り外すことができることを特徴とする請求項１に記載の石鹸液自動補給システム。
【請求項３】
前記石鹸液充填管は透明な材料からなることを特徴とする請求項２に記載の石鹸液自動補給システム。
【請求項４】
前記洗面台固定部品は前記洗面台上に設けられた装飾板を含み、前記蓋体は前記装飾板の中央に設けられ、且つ前記装飾板との間に隙間を開けることで、前記石鹸液充填管が前記隙間から一部露出して前記石鹸液補給関連発光領域を形成することを特徴とする請求項２に記載の石鹸液自動補給システム。
【請求項５】
前記液位検出ユニットは前記石鹸液充填タンク内における石鹸液の上方液位を検出するための上方液位検出ユニット及び前記石鹸液充填タンク内における石鹸液の下方液位を検出するための下方液位検出ユニットを含むことを特徴とする請求項１に記載の石鹸液自動補給システム。
【請求項６】
前記石鹸液充填タンクと前記石鹸液補給管との間に開閉弁が設けられることを特徴とする請求項１に記載の石鹸液自動補給システム。
【請求項７】
前記石鹸液貯蔵タンクと前記石鹸液補給管との間に開閉弁が設けられることを特徴とする請求項１に記載の石鹸液自動補給システム。
【請求項８】
前記制御ユニットは外部電子装置と信号の交換と伝送ができる通信ユニットを含むことを特徴とする請求項１に記載の石鹸液自動補給システム。
【発明の詳細な説明】
【技術分野】
【０００１】
本発明は石鹸液自動補給システムに関し、特に液位差圧（ｄｉｆｆｅｒｅｎｔｉａｌ  ｈｙｄｒｏｓｔａｔｉｃ  ｐｒｅｓｓｕｒｅ）を利用して石鹸液を自動的に充填し且つガスの残留を防止し、液位状態に基づき、発光により石鹸液の補給を促し、又は石鹸液を満注したことを示すことができる石鹸液自動補給システムに関するものである。
【背景技術】
【０００２】
特許文献１は、複数の配分器、第１折り畳み可能な容器、第２折り畳み可能な容器、少なくとも１つの接続管及び供給パイプを備え、配分器は入口及び出口を備えるポンプを含み、第１折り畳み可能な容器は液体洗剤を収容し、出口を備え、第２折り畳み可能な容器は液体洗剤を収容し、出口を備え、第１折り畳み可能な容器の上方に設けられ、接続管は第１折り畳み可能な容器の出口と第２折り畳み可能な容器の出口とを接続させ、第１折り畳み可能な容器及び第２折り畳み可能な容器内の液体洗剤が供給パイプを介して複数の配分器へ運ばれることで、液体洗剤を第１折り畳み可能な容器から配分器に供給し、そして第１折り畳み可能な容器内の液体洗剤を使い切ると、第２折り畳み可能な容器に切り替えて配分器に供給し続けるものを開示している。
【０００３】
特許文献２及び特許文献３は、洗面台の下方に液体洗剤を貯蔵するための貯蔵器が設けられ、それぞれ複数の液体ポンプにより貯蔵器内に貯蔵された液体洗剤を、パイプを介して洗面台上に設けられた複数の配分器へ運び、液体洗剤を複数の配分器から吐出するものをそれぞれ開示している。
【０００４】
特許文献４は、洗面台の下方に液体洗剤を貯蔵するための貯蔵器が設けられ、且つパイプを介して洗面台上に設けられた複数の配分器に接続され、各配分器内にセンサ、モータ及びポンプを設けることで、モータ及びポンプにより液体洗剤を、パイプを介して配分器の出口から吐出するものを開示している。
【０００５】
特許文献５は、石鹸液を貯蔵可能なタンクを開示し、当該タンクは石鹸液供給管を介して複数のノズルに石鹸液を供給し、タンク内に残量体積センサが設けられ、さらに残量を検出するための５レベルの接触点が設けられ、且つ制御部によりタンク内の石鹸液の残量を確認し、そして残量体積センサが、石鹸液の体積が最大レベルに達することを検出したとき、制御部はブザーを制御して所定時間鳴動することで報知する。
【０００６】
上記の特許文献は、いずれも貯蔵器を用いて液体洗剤を貯蔵し、洗面台上に設けられた複数の配分器により石鹸液を供給するものを開示している。ただし、液体洗剤の補給を行うとき、いずれも洗面台上で行わなければならず、スペースに制限され、液体洗剤がこぼれて洗面台の下方を汚す場合がよくある。また、外部から貯蔵器内の状態を確認できないため、配分器から液体洗剤が出なくなるとき、ようやく液体洗剤を使い切って補給すべきことに気づく場合や、清掃スタッフが必要なときに液体洗剤を補給するために、常に貯蔵器内の状態を確認しなければならないため、作業効率が低下する場合がある。
【先行技術文献】
【特許文献】
【０００７】
【特許文献１】米国特許登録第６１２９２４５号明細書
【特許文献２】米国特許登録第７３６４０５３号明細書
【特許文献３】米国特許登録第７４５５１９７号明細書
【特許文献４】米国特許公開第２０１７０２７３９０号明細書
【特許文献５】米国特許登録第５５４０３６２号明細書
【発明の概要】
【発明が解決しようとする課題】
【０００８】
そこで、本発明は、液位差圧を利用して石鹸液を自動的に充填し且つガスの残留を防止し、液位状態に基づき、発光により石鹸液の補給を促し、又は石鹸液を満注したことを示すことができる石鹸液自動補給システムを提供することを目的とする。
【課題を解決するための手段】
【０００９】
本発明は、上記の目的を達成すべくなされたものであり、石鹸液自動補給システムを提供し、複数の石鹸液供給本体と、複数の石鹸液供給部材と、石鹸液充填タンクと、洗面台への装着部材（以下、洗面台装着部材）と、制御ユニットとを含む。
各前記石鹸液供給本体は洗面台上にそれぞれ取り付けられ、且つ各石鹸液供給本体は石鹸液を吐出するための石鹸液吐出口、及び人体の部位を検知したら石鹸液供給信号を発信する検知領域を含む。
各前記石鹸液供給部材が洗面台の下方にそれぞれ取り付けられ、且つ各前記石鹸液供給本体に接続され、各前記石鹸液供給部材は石鹸液を貯蔵するための石鹸液貯蔵タンクと、前記石鹸液貯蔵タンクに取り付けられ、石鹸液を石鹸液吐出管を介して前記石鹸液吐出口に運ぶ石鹸液供給機と、前記検知領域に接続され、前記石鹸液供給信号を受信して石鹸液を前記石鹸液貯蔵タンクから前記石鹸液吐出口に供給するように前記石鹸液供給機を制御する制御ボックスとを含む。
前記石鹸液充填タンクは前記洗面台の下方に取り付けられ、石鹸液を貯蔵し且つ末端にガスを排出させるための排気弁が設けられた石鹸液補給管を介して各前記石鹸液貯蔵タンクに接続され、石鹸液を充填するための石鹸液充填口、及び石鹸液の液位状態を検出し、石鹸液補給信号を発信する液位検出ユニットを含み、なお、前記液位検出ユニットは各前記石鹸液貯蔵タンクのいずれよりも高いため、前記石鹸液充填タンク内の石鹸液と各前記石鹸液貯蔵タンク内の石鹸液との間に液位差圧が生成され、この液位差圧により石鹸液が前記石鹸液充填タンクから各前記石鹸液貯蔵タンクに自動的に充填される。
前記洗面台装着部材は洗面台上に取り付けられた洗面台への固定部品（以下、洗面台固定部品）と、前記洗面台固定部品に設けられ、前記石鹸液充填口に接続することで石鹸液を洗面台の上から前記石鹸液充填タンクに充填する石鹸液充填管と、前記洗面台固定部品内に設けられ、発光して前記洗面台固定部品に石鹸液補給関連発光領域を形成する発光部材を含む。
前記制御ユニットは前記液位検出ユニット及び前記発光部材にそれぞれ電気的に接続され、前記液位状態に基づき発信された石鹸液補給信号を受信して、前記石鹸液補給信号に基づき前記発光部材を駆動して発光することで、前記洗面台固定部品に前記石鹸液補給関連発光領域を形成する。
【００１０】
場合によっては、前記洗面台装着部材は蓋体を含み、前記蓋体は洗面台の上から前記石鹸液充填管を覆うために用いられ、前記石鹸液充填管から取り外すことができる。
【００１１】
場合によっては、前記石鹸液充填管は透明な材料からなる。
【００１２】
場合によっては、前記洗面台固定部品は洗面台上に設けられた装飾板を含み、前記蓋体は前記装飾板の中央に設けられ、且つ前記装飾板との間に隙間をあけることで、前記石鹸液充填管が前記隙間から一部露出して前記石鹸液補給関連発光領域を形成する。
【００１３】
場合によっては、前記液位検出ユニットは前記石鹸液充填タンク内における石鹸液の上方液位を検出するための上方液位検出ユニット及び前記石鹸液充填タンク内における石鹸液の下方液位を検出するための下方液位検出ユニットを含む。
【００１４】
場合によっては、前記石鹸液充填タンクと前記石鹸液補給管との間に開閉弁が設けられる。
【００１５】
場合によっては、前記石鹸液貯蔵タンクと前記石鹸液補給管との間に開閉弁が設けられる。
【００１６】
場合によっては、前記制御ユニットは外部電子装置と信号の交換と伝送ができる通信ユニットを含む。
【発明の効果】
【００１７】
上記の記載から、従来技術と比べ、本発明は次のいくつかの有益な効果を得られることが明らかになる。
１、本発明は、石鹸液充填タンク内の液位検出ユニットが石鹸液貯蔵タンクよりも高いため、石鹸液充填タンク内の石鹸液と各石鹸液貯蔵タンク内の石鹸液との間に液位差圧が生成され、この液位差圧により石鹸液が石鹸液充填タンクから各石鹸液貯蔵タンクに自動的に充填され、従来技術における複数組のポンプの使用が回避されるためコストを確実に減らし、メンテナンス作業をより容易にすることができる。
２、石鹸液充填タンクを取り外すことなく、直接石鹸液を洗面台の上から石鹸液充填タンクへ補給できるため、石鹸液補給時の効率を高めることができる。
３、洗面台の上から石鹸液充填口へ石鹸液を補給する間、ガスが石鹸液補給管に混入した場合、排気弁によりガスを排出することで、ガスが石鹸液補給管に残留することを防止できる。
４、洗面台上で石鹸液補給関連発光領域にて石鹸液を補給する必要があるか否かを確認できる。
【図面の簡単な説明】
【００１８】
【図１】本発明の平面図である。
【図２】本発明の斜視図である。
【図３】別の角度から見た本発明の部分斜視図である。
【図４】本発明の部分平面図である。
【図５】本発明における石鹸液充填タンクの分解図である。
【図６】本発明における石鹸液充填タンクの断面図である。
【図７】本発明の石鹸液補給関連発光に係る電気回路のブロック図である。
【発明を実施するための形態】
【００１９】
以下、図面を参照しながら本発明の詳細や技術内容について説明する。
【００２０】
図１、図２、図３、図４に示すように、本発明は石鹸液自動補給システム１０を提供し、洗面台２０上に設けられ、石鹸液を自動的に供給する。複数の石鹸液供給本体３０と、複数の石鹸液供給部材４０と、石鹸液充填タンク５０と、洗面台装着部材６０と、制御ユニット７０とを含む。
【００２１】
複数の石鹸液供給本体３０は洗面台２０のシンクと対応する部位にそれぞれ取り付けられ、各石鹸液供給本体３０は、石鹸液を吐出するための石鹸液吐出口３１及び人体の部位を検知したら石鹸液供給信号を発信する検知領域３２を含む。本実施例では、人体の部位とは手を指し、手が石鹸液吐出口３１に近づいて、検知領域３２が手を検知したら石鹸液供給信号を発信する。
【００２２】
複数の石鹸液供給部材４０は洗面台２０の下方にそれぞれ設けられ、且つ各石鹸液供給部材４０が石鹸液供給本体３０に接続され、つまり、石鹸液供給本体３０と石鹸液供給部材４０とは数量が同じで、石鹸液供給部材４０と石鹸液供給本体３０とは一対一で対応する。各石鹸液供給部材４０は石鹸液貯蔵タンク４１と、石鹸液供給機４２と、制御ボックス４３とを含む。本実施例では、各石鹸液供給部材４０が支持フレーム４５により洗面台２０の下方の壁面に固定され、石鹸液貯蔵タンク４１に石鹸液が貯蔵される。石鹸液供給機４２が石鹸液貯蔵タンク４１に設けられ、且つ石鹸液吐出管４４を介して石鹸液供給本体３０の石鹸液吐出口３１に接続され、制御ボックス４３が検知領域３２に電気的に接続され、検知領域３２から発信された石鹸液供給信号を受信する。制御ボックス４３が前記石鹸液供給信号を受信したら、石鹸液供給機４２を駆動し、石鹸液供給機４２を利用して石鹸液貯蔵タンク４１内に貯蔵された石鹸液を石鹸液吐出管４４を介して石鹸液吐出口３１に運んで、石鹸液吐出口３１から石鹸液を吐出して利用者に提供する。さらに各石鹸液供給本体３０はそれぞれ洗面台２０上で独立して石鹸液を供給できる。
【００２３】
石鹸液充填タンク５０はこれらの石鹸液供給部材４０と共に洗面台２０の下方に取り付けられ、且つ石鹸液補給管５１を介して各石鹸液供給部材４０の石鹸液貯蔵タンク４１に接続され、本実施例では、これらの石鹸液供給部材４０が石鹸液補給管５１により直列接続された上で石鹸液充填タンク５０に接続され、且つ石鹸液充填タンク５０が装着フレーム５５により洗面台２０の下方に取り付けられる。また、図５、図６に示すように、石鹸液充填タンク５０にも石鹸液が貯蔵され、且つ石鹸液を石鹸液供給部材４０の石鹸液貯蔵タンク４１に補給し、石鹸液を充填するための石鹸液充填口５２を備え、その内部に石鹸液の液位状態を検出し、前記液位状態に基づき検出信号を発信する液位検出ユニット５３を備える。ただし、本実施例では、石鹸液充填タンク５０内の液位検出ユニット５３は上方液位検出ユニット５３１及び下方液位検出ユニット５３２を含み、上方液位検出ユニット５３１が石鹸液充填タンク５０内、且つその上部に設けられ、石鹸液充填タンク５０内における石鹸液の上方液位を検出し、且つ石鹸液が上方液位に達すると石鹸液充填完了検出信号を発信し、下方液位検出ユニット５３２が石鹸液充填タンク５０内、且つその下部に設けられ、石鹸液充填タンク５０内における石鹸液の下方液位を検出し、且つ石鹸液が下方液位に達すると石鹸液補給検出信号を発信する。また、石鹸液充填タンク５０及びこれらの石鹸液貯蔵タンク４１と石鹸液補給管５１とが接続した部位にそれぞれ開閉弁５１１が設けられ、これらの石鹸液供給部材４０、又は石鹸液充填タンク５０をメンテナンスするとき、これらの開閉弁５１１により石鹸液が石鹸液充填タンク５０と、これらの石鹸液貯蔵タンク４１と、石鹸液補給管５１との間を流れることを防止でき、さらにはメンテナンスする過程で石鹸液が漏れることを防止できる。石鹸液補給管５１の末端に排気弁５４が設けられる。
【００２４】
洗面台装着部材６０が洗面台２０上に取り付けられ、図５、図６に示すように、取り付け時は、まず洗面台装着部材６０を取り付けるために、洗面台２０に固定孔２１を開け、洗面台装着部材６０は、洗面台固定部品６１と、装飾板６２と、石鹸液充填管６３と、蓋体６４と、発光部材６５とを含む。洗面台固定部品６１は中空の管体で、固定孔２１内に取り付けられる。装飾板６２が洗面台固定部品６１に嵌設され、且つ洗面台２０上に取り付けられる。石鹸液充填管６３が装飾板６２の中央に設けられ、ホッパ状の石鹸液ガイド部６３１を備え、且つ石鹸液ガイド部６３１には、石鹸液充填タンク５０への方向に石鹸液充填口５２まで延伸可能な石鹸液流動部６３２が延設され、また、石鹸液ガイド部６３１には、洗面台２０への方向に係合部６３３が延設され、なお、本発明における石鹸液充填管６３は透明な材料からなる。蓋体６４が装飾板６２の中央に設けられ、且つ装飾板６２との間に隙間を開け、蓋体６４で係合部６３３を覆うことで、石鹸液ガイド部６３１を閉鎖させ、石鹸液充填管６３の係合部６３３を蓋体６４と装飾板６２との間の隙間から露出させることで、係合部６３３の上端を洗面台２０の上から露出させて、洗面台２０に石鹸液補給関連発光領域を形成する。発光部材６５が洗面台固定部品６１の内部に設けられ、且つ石鹸液充填管６３の外部に嵌設され、発光部材６５は回路基板６５１及び回路基板６５１に取り付けられた複数の発光素子６５２を含み、発光素子６５２が発光し、光線が石鹸液充填管６３の係合部６３３から外部へ透過することで、洗面台２０に石鹸液補給関連発光領域を形成する。
【００２５】
制御ユニット７０は、図５、図６、図７に示すように、装着フレーム５５の片側に取り付けられ、制御ユニット７０が外部電源７１に接続され、且つ液位検出ユニット５３及び発光部材６５にそれぞれ電気的に接続される。本実施例では、制御ユニット７０が上方液位検出ユニット５３１、下方液位検出ユニット５３２及び発光部材６５にそれぞれ電気的に接続され、上方液位検出ユニット５３１及び下方液位検出ユニット５３２から発信された検出信号を受信し、前記検出信号に基づき、発光部材６５を制御して異なる色の発光し、これらの光線が石鹸液充填管６３から外部へ透過して石鹸液補給関連発光領域を形成する。本実施例では、制御ユニット７０が下方液位検出ユニット５３２から発信された石鹸液補給検出信号を受信すると、制御ユニット７０が発光素子６５２を駆動して光線（例えば赤色の光線）を発し、前記赤色の光線が石鹸液充填管６３を通過して洗面台２０上に赤色の石鹸液補給関連発光領域を形成する。逆に、制御ユニット７０が上方液位検出ユニット５３１から発信された石鹸液充填完了検出信号を受信すると、制御ユニット７０が発光素子６５２を駆動して別の色の光線（例えば青色の光線）を発し、前記青色の光線が石鹸液充填管６３を通過して洗面台２０上に青色の石鹸液補給関連発光領域を形成し、これにより、前記石鹸液補給関連発光領域を異なる色にすることで、石鹸液充填タンク５０内の石鹸液の残量を確認し、さらに石鹸液を補給する必要があるか否か、石鹸液の補給が完了したかを判断する。
【００２６】
さらに、本実施例では、制御ユニット７０に通信ユニット８０が接続され、通信ユニット８０が外部電子装置９０に接続され、通信ユニット８０と外部電子装置９０との間は所定の通信プロトコルにより信号の交換と伝送を行う。つまり、制御ユニット７０が上方液位検出ユニット５３１及び下方液位検出ユニット５３２に接続されたとき、制御ユニット７０により、液位検出ユニット５３から発信された検出信号を受信すると、前記検出信号を通信ユニット８０により外部電子装置９０に伝送し、外部電子装置９０は、例えば、マルチメディア受信装置、携帯電話などである。これにより、外部電子装置９０により検出信号を受信すると、直ちに石鹸液の補給を開始することができる。
【００２７】
図１、図２、図３、図４、図５、図６、図７に示すように、本発明の石鹸液自動補給システム１０を洗面台２０に取り付けた後、主には、石鹸液供給本体３０が検知領域３２を利用して手を検知したら、検知信号を生成して制御ボックス４３に伝送し、制御ボックス４３が前記検知信号を受信したら、石鹸液供給機４２を駆動して石鹸液を石鹸液貯蔵タンク４１内から石鹸液吐出管４４を介して石鹸液吐出口３１に運び、そして適当な量の石鹸液を利用者に提供する。ただし、複数の石鹸液貯蔵タンク４１のうち１つに石鹸液の残量が少なくなると、石鹸液充填タンク５０内の石鹸液が石鹸液補給管５１を介して残量が少ない石鹸液貯蔵タンク４１に補給されることで、石鹸液貯蔵タンク４１への石鹸液の補給を実現する。なお、本発明では、石鹸液充填タンク５０が複数の石鹸液貯蔵タンク４１よりも高く、且つ複数の石鹸液貯蔵タンク４１が石鹸液充填タンク５０内の下方液位検出ユニット５３２より低く、つまり、石鹸液充填タンク５０内の液位が複数の石鹸液貯蔵タンク４１内の液位より高いため、石鹸液充填タンク５０内の石鹸液と複数の石鹸液貯蔵タンク４１内の石鹸液との間に液位差圧（ｄｉｆｆｅｒｅｎｔｉａｌ  ｈｙｄｒｏｓｔａｔｉｃ  ｐｒｅｓｓｕｒｅ）が生成され、この液位差圧を利用して石鹸液充填タンク５０から同時に複数の石鹸液供給部材４０の石鹸液貯蔵タンク４１へ石鹸液を補給でき、このように、石鹸液充填タンク５０内の石鹸液が石鹸液貯蔵タンク４１へ充填されるため液位が下がると、石鹸液貯蔵タンク４１内に十分な石鹸液がある状態を維持できる。また、石鹸液充填タンク５０内の石鹸液が下方液位検出ユニット５３２より低くなると、下方液位検出ユニット５３２が石鹸液補給検出信号を発信し、制御ユニット７０が石鹸液補給検出信号を受信したら、発光素子６５２を駆動して発光し、洗面台２０上に石鹸液補給関連発光領域を形成して、石鹸液充填タンク５０へ石鹸液を補給するように促す。石鹸液充填タンク５０へ石鹸液を補給するとき、蓋体６４を洗面台２０から取り外すだけで、直接洗面台２０の上から石鹸液を石鹸液充填管６３の石鹸液流動部６３２を介して石鹸液充填タンク５０に補給でき、石鹸液が石鹸液充填タンク５０内の所定液位に達すると、石鹸液が上方液位検出ユニット５３１を駆動して上方液位検出ユニット５３１が石鹸液充填完了信号を発信し、制御ユニット７０により発光素子６５２を駆動し、洗面台２０上の異なる色の光線により、石鹸液充填タンク５０内は液位が高い状態となるため石鹸液充填タンク５０へ石鹸液をさらに補給する必要がないことを示す。
【００２８】
さらに、石鹸液補給管５１の末端に排気弁５４が設けられるため、洗面台２０の上から石鹸液を補給するとき、石鹸液を石鹸液充填管６３に注入する間、外部のガスが石鹸液充填タンク５０に混入して石鹸液充填タンク５０に残留した場合、石鹸液が石鹸液補給管５１内を流れるときにガスも共に流れるため、排気弁５４により石鹸液補給管５１内のガスを排出することで、ガスが石鹸液補給管５１内に蓄積されることを防止できる。
【００２９】
従来技術と比べると、本発明は、石鹸液充填タンク５０内の液位検出ユニット５３が石鹸液貯蔵タンク４１よりも高いため、石鹸液充填タンク５０内の石鹸液と各石鹸液貯蔵タンク４１内の石鹸液との間に液位差圧が生成され、この液位差圧により石鹸液が石鹸液充填タンク５０から各石鹸液貯蔵タンク４１に自動的に充填され、従来技術における複数組のポンプの使用が回避されるためコストを確実に減らし、メンテナンス作業をより容易にすることができる。また、石鹸液充填タンク５０を取り外すことなく、直接石鹸液を洗面台２０の上から石鹸液充填タンク５０へ補給できるため、石鹸液補給時の効率を高めることができる。また、洗面台２０の上から石鹸液充填口５２へ石鹸液を補給する間、ガスが石鹸液補給管５１に混入した場合、排気弁５４によりガスを排出することで、ガスが石鹸液補給管５１に残留することを防止できる。さらに、洗面台２０上で石鹸液補給関連発光領域にて石鹸液を補給する必要があるか否かを確認できる。
【符号の説明】
【００３０】
１０  石鹸液自動補給システム
２０  洗面台
２１  固定孔
３０  石鹸液供給本体
３１  石鹸液吐出口
３２  検知領域
４０  石鹸液供給部材
４１  石鹸液貯蔵タンク
４２  石鹸液供給機
４３  制御ボックス
４４  石鹸液吐出管
４５  支持フレーム
５０  石鹸液充填タンク
５１  石鹸液補給管
５１１  開閉弁
５２  石鹸液充填口
５３  液位検出ユニット
５３１  上方液位検出ユニット
５３２  下方液位検出ユニット
５４  排気弁
５５  装着フレーム
６０  洗面台装着部材
６１  洗面台固定部品
６２  装飾板
６３  石鹸液充填管
６３１  石鹸液ガイド部
６３２  石鹸液流動部
６３３  係合部
６４  蓋体
６５  発光部材
６５１  回路基板
６５２  発光素子
７０  制御ユニット
７１  外部電源
８０  通信ユニット
９０  外部電子装置
【図１】
2019042479.tif 000003
【図２】
2019042479.tif 000004
【図３】
2019042479.tif 000005
【図４】
2019042479.tif 000006
【図５】
2019042479.tif 000007
【図６】
2019042479.tif 000008
【図７】
2019042479.tif 000009
【外国語明細書】
2019042479000001.pdf